(57)【要約】【解決手段】版クリーニング装置のインキ除去機構においては、インキが塗布されたスクリーン版７をスキージ１２により被印刷物２に圧接してインキをスクリーン版７を通して被印刷物２に刷り写すとともに、スクリーン版７に対しスキージ１２とともに印刷方向Ｘへ往復移動する吸引口部２０ａにより、スクリーン版７に残ったインキを吸い込む。【効果】印刷開始から印刷途中を経て印刷終了まで継続して、スクリーン版７に残った余分なインキを確実に除去することができる。【選択図】図２
2004358841.tif 000002
【特許請求の範囲】
【請求項１】
インキが塗布されたスクリーン版をスキージにより被印刷物に圧接してインキをスクリーン版を通して被印刷物に刷り写す印刷機構を備えたスクリーン印刷機において、このスクリーン版に残ったインキを吸い込む吸引口部を有するインキ除去機構を備えたことを特徴とするスクリーン印刷機における版クリーニング装置。
【請求項２】
前記インキ除去機構において吸引口部は、印刷台に位置決めされた被印刷物に対しスクリーン版をスキージが圧接する側であるスクリーン版の表面に面し、スクリーン版の表面に沿う方向へスクリーン版に対し往復相対移動することを特徴とする請求項１に記載のスクリーン印刷機における版クリーニング装置。
【請求項３】
前記インキ除去機構において吸引口部は、印刷方向のうち印刷向きに対する反対向き側でスキージに隣接して配設され、スクリーン版に対しスキージとともに印刷方向へ往復相対移動することを特徴とする請求項２に記載のスクリーン印刷機における版クリーニング装置。
【請求項４】
インキが塗布されたスクリーン版をスキージにより被印刷物に圧接してインキをスクリーン版を通して被印刷物に刷り写すとともに、スクリーン版に対しスキージとともに印刷方向へ往復相対移動する吸引口部により、このスクリーン版に残ったインキを吸い込むことを特徴とするスクリーン印刷機における版クリーニング方法。
【発明の詳細な説明】
【０００１】
【発明の属する技術分野】
本発明は、スクリーン印刷機において、印刷後にスクリーン版に残った余分なインキを除去する版クリーニング装置及び版クリーニング方法に関するものである。
【０００２】
【従来の技術】
まず、図３に示す従来の印刷工程の一部を概説する。
図３（ａ）に示す印刷開始状態においては、スクリーン版７が被印刷物２（例えば電気配線基板）に接近し、スキージ１２が圧接位置ＰＤにあり、ドクター１３が非圧接位置ＰＵにある。図３（ｂ）に示すように、この印刷開始状態から、スキージ１２とドクター１３とが印刷向きＸＦへ移動すると、インキが塗布されたスクリーン版７の表面７ａがスキージ１２により被印刷物２に圧接されてインキがスクリーン版７を通して被印刷物２に刷り写される。印刷終了後、図３（ｄ）に示すように、スキージ１２が非圧接位置ＰＵになるとともに、ドクター１３が圧接位置ＰＤになり、スクリーン版７が被印刷物２から離間する。その後、スキージ１２とドクター１３とが印刷向きＸＦに対する反対向きＸＲへ移動すると、ドクター１３によりスクリーン版７にインクが塗布され、図３（ａ）に示す印刷開始状態に戻る。
【０００３】
しかし、図４（ａ）に示すように、被印刷物２における印刷方向Ｘの両側付近でスクリーン版７の裏面７ｂにインキ塊Ｇが付着して残るおそれがあった。また、図４（ｂ）に示すように、スルホール２ａを有する被印刷物２においては、このスルホール２ａに面するスクリーン版７の貫通孔７ｃの内周縁部付近でスクリーン版７の裏面７ｂにインキ塊Ｇが付着して残ったり、その貫通孔７ｃ内にインキＩが残ったりするおそれがあった。そのようなインキ塊ＧやインキＩをスクリーン版７に残したまま次工程の印刷を行うと、印刷状態が悪くなる原因になっていた。
【０００４】
そこで、図３（ｃ）に示すインキ裏掻き工程を必要に応じて行っていた。このインキ裏掻き工程では、印刷終了後、インキ掻き部２４がスクリーン版７の裏面７ｂに接触した状態で印刷方向Ｘへスクリーン版７に対し往復移動すると、スクリーン版７の裏面７ｂに残ったインキ塊Ｇがインキ掻き部２４により掻き取られる。
【０００５】
【発明が解決しようとする課題】
ところが、インキ掻き部２４をスクリーン版７の裏面７ｂに圧接して滑らせるだけであるため、前記インキ塊Ｇの除去が不十分であったり、掻き取られるべき裏面７ｂ側のインキ塊Ｇがスクリーン版７の表面７ａ側に盛り上がったりするおそれがあった。特に、貫通孔７ｃ内に残ったインキＩを除去することは難しかった。
【０００６】
この発明は、印刷後にスクリーン版に残った余分なインキを確実に除去することを目的としている。
【０００７】
【課題を解決するための手段及び発明の効果】
後記実施形態の図面（図１〜２）の符号を援用して本発明を説明する。
請求項１の発明にかかるスクリーン印刷機の版クリーニング装置は、下記のように構成されている。
【０００８】
このスクリーン印刷機は、インキが塗布されたスクリーン版（７）をスキージ（１２）により被印刷物（２）に圧接してインキをスクリーン版（７）を通して被印刷物（２）に刷り写す印刷機構（１）を備えている。この版クリーニング装置は、このスクリーン版（７）に残ったインキを吸い込む吸引口部（２０ａ）を有するインキ除去機構（１８）を備えている。請求項１の発明では、インキ除去機構（１８）が吸引力を利用しているので、印刷後にスクリーン版（７）に残った余分なインキ（例えば図３に示すように従来技術で述べたインキ塊ＧやインキＩ）を確実に除去することができる。
【０００９】
請求項１の発明を前提とする請求項２の発明にかかるインキ除去機構（１８）において、吸引口部（２０ａ）は、印刷台（３）に位置決めされた被印刷物（２）に対しスクリーン版（７）をスキージ（１２）が圧接する側であるスクリーン版（７）の表面（７ａ）に面し、スクリーン版（７）の表面（７ａ）に沿う方向（Ｘ）へスクリーン版（７）に対し往復相対移動する。請求項２の発明では、印刷台（３）があるためにスペースの少ないスクリーン版（７）の裏面（７ｂ）側を避けてスペースに余裕のあるスクリーン版（７）の表面（７ａ）側にインキ除去機構（１８）を設置しても、インキ除去機構（１８）が吸引力を利用しているので、スクリーン版（７）の裏面（７ｂ）側に残った余分なインキを確実に除去することができる。
【００１０】
請求項２の発明を前提とする請求項３の発明にかかるインキ除去機構（１８）において、吸引口部（２０ａ）は、印刷方向（Ｘ）のうち印刷向き（ＸＦ）に対する反対向き（ＸＲ）側でスキージ（１２）に隣接して配設され、スクリーン版（７）に対しスキージ（１２）とともに印刷方向（Ｘ）へ往復相対移動する。すなわち、前記インキ除去機構（１８）で吸引口部（２０ａ）がスクリーン版（７）の表面（７ａ）に沿う方向（Ｘ）へスクリーン版（７）に対し往復相対移動する吸引口部（２０ａ）の往復相対移動方向（Ｘ）は、前記印刷機構（１）でスキージ（１２）がスクリーン版（７）の表面（７ａ）に沿う方向（Ｘ）へスクリーン版（７）に対し往復相対移動するスキージ（１２）の往復相対移動方向（Ｘ）に一致する。請求項３の発明では、印刷開始から印刷途中を経て印刷終了まで継続して、スクリーン版（７）に残った余分なインキを確実に除去することができる。
【００１１】
請求項４の発明にかかるスクリーン印刷機の版クリーニング方法においては、インキが塗布されたスクリーン版（７）をスキージ（１２）により被印刷物（２）に圧接してインキをスクリーン版（７）を通して被印刷物（２）に刷り写すとともに、スクリーン版（７）に対しスキージ（１２）とともに印刷方向（Ｘ）へ往復相対移動する吸引口部（２０ａ）により、このスクリーン版（７）に残ったインキを吸い込む。請求項４の発明では、印刷開始から印刷途中を経て印刷終了まで継続して、スクリーン版（７）に残った余分なインキを確実に除去することができる。
【００１２】
請求項３の発明を前提とする第５の発明において、インキ除去機構（１８）の吸引口部（２０ａ）は、スクリーン版（７）の表面（７ａ）に対し接触する吸引位置（ＢＤ）と離間する非吸引位置（ＢＵ）との間でスクリーン版（７）に対し往復相対移動し、印刷機構（１）のスキージ（１２）は、スクリーン版（７）の表面（７ａ）に対し接触する圧接位置（ＰＤ）と離間する非圧接位置（ＰＵ）との間でスクリーン版（７）に対し往復相対移動する。第５の発明では、印刷工程を円滑に行うことができる。
【００１３】
請求項１または請求項２または請求項３の発明または第５の発明を前提とする第６の発明においてインキ除去機構（１８）では、吸引口部（２０ａ）に吸引駆動部（２１）を接続する吸引通路（２２）にフィルタ（２３）を設けている。第６の発明では、吸引口部（２０ａ）から吸引されたインキをフィルタ（２３）により回収することができる。
【００１４】
【発明の実施の形態】
以下、本発明の一実施形態にかかるスクリーン印刷機の版クリーニング装置及び版クリーニング方法について図１〜２を参照して説明する。
【００１５】
図１（ａ）に示すように、このスクリーン印刷機の印刷機構１は、被印刷物２（例えば電気配線基板）を位置決めする印刷台３の上方に設置され、各エアシリンダ４により昇降可能に支持されている。この印刷機構１の機枠５の下側に版枠６が取り付けられ、この版枠６の内側にスクリーン版７が張られている。この機枠５内でガイドレール８が設けられ、このガイドレール８上に支持台９が移動可能に支持されている。この支持台９上にスキージ用エアシリンダ１０及びドクター用エアシリンダ１１が取着され、このスキージ用エアシリンダ１０のピストンロッド１０ａにスキージ１２が取り付けられているとともに、このドクター用エアシリンダ１１のピストンロッド１１ａにドクター１３が取り付けられている。このスキージ１２及びドクター１３はスクリーン版７の表面７ａに面している。前記機枠５内において支持された従動プーリ１４と駆動プーリ１５との間に往復回転ベルト１６が掛け渡され、この往復回転ベルト１６に前記支持台９が連結されている。この駆動プーリ１５には駆動モータ１７の回転が伝達される。
【００１６】
前記印刷機構１にはインキ除去機構１８が付設されている。このインキ除去機構１８においては、前記支持台９上に吸引ボックス用エアシリンダ１９も取着され、この吸引ボックス用エアシリンダ１９のピストンロッド１９ａには図１（ｂ）に示す吸引ボックス２０が取り付けられている。この吸引ボックス２０には細長い吸引口部２０ａがスクリーン版７の表面７ａに面して設けられている。この吸引ボックス２０には送風ファン２１（吸引駆動部）が吸引通路２２により接続され、この吸引ボックス２０と送風ファン２１との間で吸引通路２２にフィルタ２３が取り付けられている。
【００１７】
前記ベルト１６が前記駆動モータ１７により往復回転すると、前記スキージ１２とドクター１３と吸引ボックス２０とは、スクリーン版７の表面７ａに沿って印刷方向Ｘへ支持台９とともに往復移動する。このドクター１３は印刷方向Ｘのうち印刷向きＸＦ側でスキージ１２に隣接して配設されている。この吸引ボックス２０は印刷方向Ｘのうち印刷向きＸＦに対する反対向きＸＲ側でスキージ１２に隣接して配設されている。図２に示すように、この吸引ボックス２０は、前記エアシリンダ１９により、スクリーン版７の表面７ａに対し接触する吸引位置ＢＤと離間する非吸引位置ＢＵとの間でスクリーン版７に対し往復昇降する。また、このスキージ１２及びドクター１３は、前記エアシリンダ１０，１１により、スクリーン版７の表面７ａに対し接触する圧接位置ＰＤと離間する非圧接位置ＰＵとの間でスクリーン版７に対し往復昇降する。
【００１８】
詳述しないが、裏掻き機構においては、被印刷物２が印刷台３に位置決めされる側であるスクリーン版７の裏面７ｂに対しインキ掻き部２４が接触した状態でスクリーン版７の裏面７ｂに沿う印刷方向Ｘへスクリーン版７に対し往復相対移動する。
【００１９】
図２（ａ）に示す印刷開始状態においては、印刷機構１で機枠５が版枠６やスキージ１２やドクター１３や吸引ボックス２０とともに下降してスクリーン版７が被印刷物２に接近し、スキージ１２が圧接位置ＰＤにあり、ドクター１３が非圧接位置ＰＵにあり、吸引ボックス２０が吸引位置ＢＤにある。
【００２０】
図２（ｂ）に示すように、この印刷開始状態から、スキージ１２とドクター１３と吸引ボックス２０とが印刷向きＸＦへ移動すると、インキが塗布されたスクリーン版７の表面７ａがスキージ１２により被印刷物２に圧接されてインキがスクリーン版７を通して被印刷物２に刷り写される。吸引ボックス２０はスキージ１２に追従して移動し、印刷開始直後から印刷途中を経て印刷終了直後までスクリーン版７の表面７ａに接触する吸引口部２０ａにより、スクリーン版７に残った余分なインキが吸い込まれる。
【００２１】
印刷終了後は、図２（ｃ）に示すように、スキージ１２が非圧接位置ＰＵになるとともに、ドクター１３が圧接位置ＰＤになる。さらに、図２（ｄ）に示すように、印刷機構１で機枠５が版枠６やスキージ１２やドクター１３や吸引ボックス２０とともに上昇してスクリーン版７が被印刷物２から離間するとともに、吸引ボックス２０が非吸引位置ＢＵになる。
【００２２】
また、図２（ｅ）に示すように、必要に応じて、インキ掻き部２４がスクリーン版７の裏面７ｂに接触した状態で印刷方向Ｘへスクリーン版７に対し往復移動し、スクリーン版７の裏面７ｂに残った余分なインキがインキ掻き部２４により掻き取られる。
【００２３】
その後、図２（ｆ）に示すように、スキージ１２とドクター１３と吸引ボックス２０とが印刷向きＸＦに対する反対向きＸＲへ移動すると、ドクター１３によりスクリーン版７にインクが塗布され、図２（ａ）に示す印刷開始状態に戻る。
【図面の簡単な説明】
【図１】（ａ）は本実施形態にかかるスクリーン印刷機の一部を示す概略図であり、（ｂ）は吸引ボックスを示す図である。
【図２】（ａ）（ｂ）（ｃ）（ｄ）（ｅ）（ｆ）はそれぞれ本実施形態において印刷工程の一部を示す作用説明図である。
【図３】（ａ）（ｂ）（ｃ）（ｄ）はそれぞれ従来において印刷工程の一部を示す作用説明図である。
【図４】（ａ）（ｂ）はそれぞれ模式図である。
【符号の説明】
１…印刷機構、２…被印刷物、３…印刷台、７…スクリーン版、７ａ…表面、１２…スキージ、１８…インキ除去機構、２０ａ…吸引口部、Ｘ…印刷方向、ＸＦ…印刷向き、ＸＲ…印刷向きに対する反対向き。
【図１】
2004358841.tif 000003
【図２】
2004358841.tif 000004
【図３】
2004358841.tif 000005
【図４】
2004358841.tif 000006